(57)【特許請求の範囲】
【請求項１】
左右一対のベルト取付具と、
それぞれの前記ベルト取付具に端部が連結されるベルトとからなり、
前記ベルト取付具は、物品載置棚の柱材に形成された透孔に着脱自在に嵌合されるフック部と、前記ベルトの端部を連結する連結部とを備え、
前記ベルトは、長手方向の経糸が弾性糸材、緯糸が非弾性糸材で、屈曲可能に形成された編み目状の織物材からなり、
前記連結部は、前記ベルトの端部を差し込むことが可能な取付孔を有し、この取付孔の内面には、当該取付孔に挿入された前記編み目状のベルトに食い込んで係止可能な係合爪が設けられており、
前記編み目状のベルトを前記左右のベルト取付具のそれぞれの取付孔に挿入して、当該取付孔の内面に形成された前記係合爪に左右両側で食い込ませて係止させる物品落下防止装置。
【請求項２】
前記ベルトが、長さ方向に弾力的に伸縮可能なゴム材料で形成されている請求項１に記載の物品落下防止装置。
【請求項３】
前記ベルト取付具が、合成樹脂素材による一体成形品であって、前記フック部と前記連結部とは平面視Ｌ字形に結合して形成されている請求項１または請求項２に記載の物品落下防止装置。
【発明の詳細な説明】
【技術分野】
【０００１】
本発明は、陳列棚や架台等の物品載置棚から物品が落下するのを防止するための物品落下防止装置に関する。本発明の物品落下防止装置は、主として、側面に一定ピッチで設けられた多数の透孔（取付孔）を有する断面Ｌ字形、コの字形、ロの字形の長尺金属型材で組み立てられたスチール棚に用いられる。
【背景技術】
【０００２】
従来、物品載置棚に載置された物品の落下を防ぐための物品落下防止装置としては、例えば特許文献１や特許文献２に示されているように、落下防止柵となるベルトを載置棚の前面側に取り付けたものが知られている。
【先行技術文献】
【特許文献】
【０００３】
【特許文献１】特開２０１３−１５８６３３号公報
【特許文献２】特開２００１−０１７２５６号公報
【発明の概要】
【発明が解決しようとする課題】
【０００４】
特許文献１の落下防止ベルトでは、長さ調整可能なベルトの両端部を、載置棚の左右の柱材にそれぞれ巻き付けてアジャスタで締め付け固定するとともに、ベルトの弛みをバックルで調整することによりベルトを緊張状態で取り付ける構成となっている。
しかし、この方法では、アジャスタやバックル等の部品点数が多くなってコストがかかるとともに、柱材への取り付けやベルトの弛みを調整するといった面倒な操作が必要となる。
【０００５】
また、特許文献２の物品落下防止装置では、ベルトの端部を連結するベルト取付具を蝶ネジや固定板等の部品を用いて左右の柱材に取り付ける構成となっている。
しかし、この方法でも、ベルト取付具の構成部品が多くなってコストがかかるとともに、柱材に取り付ける作業も面倒である。また、ベルト取付具の位置が固定されるため、棚板に載置される物品の大きさに合わせてベルト位置を変更したい場合には大変手間がかかるという問題点があった。
【０００６】
そこで本発明は、上記課題に鑑み、物品載置棚の柱材にワンタッチ操作で取り付けることができるとともに、構成を簡略化して低コストで作製が可能な物品落下防止装置、並びにこの物品落下防止装置に用いられるベルト取付具を提供することを目的とする。
【課題を解決するための手段】
【０００７】
上記課題を解決するために、本発明では次のような技術的手段を講じた。すなわち、本発明の物品落下防止装置は、左右一対のベルト取付具と、それぞれの前記ベルト取付具に端部が連結されるベルトとからなり、前記ベルト取付具は、物品載置棚の柱材に形成された透孔に着脱自在に嵌合されるフック部と、前記ベルトの端部を連結する連結部とを備え、前記ベルトは、長手方向の経糸が弾性糸材、緯糸が非弾性糸材で、屈曲可能に形成された編み目状の織物材からなり、前記連結部は、前記ベルトの端部を差し込むことが可能な取付孔を有し、この取付孔の内面には、当該取付孔に挿入された前記編み目状のベルトに食い込んで係止可能な係合爪が設けられており、前記編み目状のベルトを前記左右のベルト取付具のそれぞれの取付孔に挿入して、当該取付孔の内面に形成された前記係合爪に左右両側で食い込ませて係止させる構成とした。
【発明の効果】
【０００８】
上記の本発明に係る物品落下防止装置によれば、左右のベルト取付具の取付孔にベルトの両端部を差し込んで係合爪に係合させることにより、ベルトとベルト取付具とを簡単に連結することができる。そして、ベルトの左右に連結されたベルト取付具の各フック部を物品載置棚の柱材に形成された透孔に押し込むだけで、ワンタッチかつ容易に物品落下防止装置を物品載置棚にセットすることができる。また、ベルト取付具は、簡単な構造であって合成樹脂素材による一体成形が可能なことから、低コストで作製することができる。
【０００９】
本発明において、前記ベルトが、長さ方向に弾力的に伸縮可能なゴム材料で形成されている構成とするのがよい。
これにより、物品載置棚に物品落下防止装置をセットしたときに、ベルトを左右のベルト取付具に弛みの生じない長さで連結しておいた場合でも、ベルトを引き伸ばすことにより容易にベルト取付具を物品載置棚に取り付けることができる。
【００１０】
また、本発明において、前記ベルト取付具が合成樹脂素材による一体成形品であって、前記フック部と前記連結部とは平面視Ｌ字形に結合して形成するのがよい。
これにより、コストの低減化を図ることができるだけでなく、フック部と連結部とをＬ字形に屈曲させて結合することにより、出っ張り部分を小さくしてコンパクト化することができるとともに製品強度を高めることができる。
【図面の簡単な説明】
【００１１】
【図１】本発明に係る物品落下防止装置のベルト取付具を示す斜視図。
【図２】本発明に係る物品落下防止装置のスチール棚への取付操作を示す斜視図。
【図３】本発明に係る物品落下防止装置の使用状態を示す斜視図。
【図４】本発明に係る物品落下防止装置の別実施例を示す平面視の断面図。
【図５】本発明に係る物品落下防止装置の使用状態の別実施例を示す斜視図。
【発明を実施するための形態】
【００１２】
以下において、本発明の実施形態を図１〜図３に基づいて詳細に説明する。
本実施例に係る物品落下防止装置は、側面に一定ピッチで設けられた多数の縦長の透孔（取付孔）３ａを有する断面Ｌ字形の柱材（型材）３で組み立てられたスチール棚（物品載置棚）Ｃに取り付けて使用されるものであって、左右一対のベルト取付具Ａ、Ａと、これらベルト取付具Ａに連結される帯状のベルトＢとからなる。
なお、柱材は、断面をコの字形やロの字形とすることもできる。
【００１３】
ベルト取付具Ａは、合成樹脂素材により一体成形され、柱材３の透孔３ａに着脱自在に嵌合されるフック部１と、ベルトＢの一端部分を連結する連結部２とから形成されている。フック部１と連結部２は板状の形態で、平面視Ｌ字形に結合されている。
【００１４】
フック部１は上下に弾力性のあるフック片１ａを備えており、フック部１を柱材３の透孔３ａに押し込んで貫通させたときに、上下のフック片１ａ、１ａの段部１ｂが透孔３ａの上下の縁部に弾力的に係合するように形成されている。これにより、ベルト取付具Ａを柱材３の透孔３ａにワンタッチで取り付けることができる。また、ベルト取付具Ａを取り外すときは、上下のフック片１ａ、１ａを弾性に抗して手指で圧迫し、透孔３ａに対する段部１ｂの係合を解除することにより透孔３ａから容易に引き抜くことができる。
なお、本実施例では、フック部１は中間部で凹状の切り欠き１ｃによって上下に分断して形成されている。
【００１５】
ベルト取付具Ａの連結部２には、帯状のベルトＢの端部を差し込むための縦長の取付孔２ａが設けられている。この取付孔２ａの縦方向に沿った内面において、連結部２の遊端側となる面には、先端鈎状の係合爪２ｂが一定の間隔をあけて複数形成されている。
【００１６】
ベルトＢは、その一端部を取付孔２ａに差し込んで、直角方向に折り曲げて引っ張ったときに係合爪２ｂが食い込んで係止できる材料、例えば粗い編み目状の柔軟な織物材で形成されている。加えて本実施例では、その長さ方向に弾力的に伸縮可能なゴム材料で形成されている。
ベルトＢとして好適な具体例としては、長手方向の経糸が弾性糸材、緯糸が非弾性糸材で、ラッセル編みで形成された帯状体のものが好ましい。また、弾性糸材は、例えばポリウレタン弾性フィラメントを芯材として綿糸や綿／ポリエステル混紡糸及びナイロンやポリエステルフィラメント糸を被覆材として芯材に巻き付けて作ることができ、ポリウレタン弾性糸の代わりに合成ゴム及び天然ゴムのフィラメントやその加工品を使用することも可能である。また、用途に合わせてゴム弾性の強度や伸張性を検討し、糸材並びに織編み構造を自由に選定することもできる。特に、先端鈎状の係合爪２ｂの間隔に合わせて糸間空隙並びに糸密度を調節した好適なベルトＢとすることができる。
【００１７】
上記した本発明に係る物品落下防止装置を使用するときには、予め左右のベルト取付具Ａ、Ａの取付孔２ａ、２ａにベルトＢの両端部を差し込んでベルトＢを連結しておき、図２、３に示すように、スチール棚Ｃの左右の柱材３、３側面の透孔３ａ、３ａに左右のベルト取付具Ａ、Ａのフック部１、１を差し込む。これにより、ワンタッチで容易に物品落下防止装置をスチール棚Ｃにセットすることができ、棚板４上に載置した物品５の前方への落下を防止することができる。
【００１８】
また、本実施例では、ベルトＢが長さ方向へ弾力的に伸縮可能な材料で形成されているので、スチール棚ＣにセットしたときにベルトＢに弛みの生じない長さで左右のベルト取付具Ａ、Ａに連結しておいた場合でも、ベルトＢを引き伸ばすことにより容易にベルト取付具Ａをスチール棚Ｃに取り付けることができる。
【００１９】
なお、上記の実施例では、予めベルト取付具ＡとベルトＢとを連結後にスチール棚Ｃへセットするようにしたが、先にベルト取付具Ａをスチール棚Ｃに取り付け、その後、ベルトＢの端部をベルト取付具Ａの取付孔２ａに差し込んで連結するようにしてもよい。
【００２０】
また、本発明に係る物品落下防止装置は、図４に示すように、ベルト取付具Ａをスチール棚Ｃの柱材３の前面側に向いて開口した透孔３ａに取り付けて使用することもできる。
【００２１】
また、上記の実施例では、ベルト取付具Ａのフック部１全体を１つの透孔３ａに差し込んで取り付けた例を示したが、透孔３ａの縦寸法が小さい場合には、図５に示すように、切り欠き１ｃによって分断された上下のフック部１、１が２つの透孔３ａ、３ａに跨って取り付けられるようにすることもできる。この場合は、分断された上下それぞれのフック部１、１と透孔３ａとがほぼ同じ長さで形成され、かつ、各透孔３ａの間隔が切り欠き１ｃの幅とほぼ等しくなるように形成される。このように、２つの透孔３ａ、３ａに跨ってベルト取付具Ａを取り付けることにより、安定性を高めて保持することができる。
また、図示は省略するが、図２に示す大きさの透孔３ａに対し、上記したような２つの透孔３ａ、３ａを跨いで取り付ける構造のベルト取付具Ａとすれば、１つの透孔３ａに取り付ける場合よりも幅広のベルトＢとすることができ、これによりベルトＢの伸張抵抗力が増して、嵩高で重い物品を棚に載置したときの転倒や落下防止に有効である。
【００２２】
以上、本発明の代表的な実施例について説明したが、本発明は必ずしも上記の実施形態に特定されるものではない。例えば、本発明で用いるベルトＢは、ベルト取付具Ａの係合爪２ｂに容易に係合できる材質であれば必ずしも編み目状とする必要はない。また、ベルトＢは伸縮性を有しない材料で形成することも可能である。その他本発明ではその目的を達成し、請求の範囲を逸脱しない範囲内で適宜修正、変更することが可能である。
【産業上の利用可能性】
【００２３】
本発明の物品落下防止装置並びにベルト取付具は、側面に一定ピッチで設けられた多数の透孔を有する断面Ｌ字形、コの字形、ロの字形の長尺型材で組み立てられたスチール棚等の物品載置棚に利用することができる。
【符号の説明】
【００２４】
Ａ  ベルト取付具
Ｂ  ベルト
Ｃ  スチール棚（物品載置棚）
１  フック部
１ａ  フック片
１ｂ  段部
１ｃ  切り欠き
２  連結部
２ａ  取付孔
２ｂ  係合爪
３  柱材
３ａ  透孔
４  棚板
５  物品
【図１】
0006431490.tif 000002
【図２】
0006431490.tif 000003
【図３】
0006431490.tif 000004
【図４】
0006431490.tif 000005
【図５】
0006431490.tif 000006